(57)【特許請求の範囲】
【請求項１】
電動機と液圧ポンプとを一体的に結合し、電動機の出力軸と液圧ポンプの入力軸とを駆動連結し、出力軸で入力軸を回転駆動して液体を吸入吐出する電動機直結形液圧ポンプ装置において、電動機は電動機ケーシングと電動機ケーシングの軸方向端部に設けて液圧ポンプを結合するフランジ部材とを備え、電動機ケーシングには外部電源からの動力線を電気接続する端子箱を外部に固定して取り付け、フランジ部材には液圧ポンプの内部より漏出したドレンを外部へ排出するドレン通路を下方に設け、電動機ケーシングとフランジ部材とは、ドレン通路を下方にしたフランジ部材に対して電動機ケーシングを回動して端子箱を周方向の複数の異なる位置へ変更可能にして結合したことを特徴とする電動機直結形液圧ポンプ装置。
【請求項２】
前記電動機ケーシングには被取付部材に固定する取付脚を周方向の複数の異なる位置へ変更可能に着脱自在に取り付けたことを特徴とする請求項１に記載の電動機直結形液圧ポンプ装置。
【請求項３】
前記電動機ケーシングの外部に固定して取り付けた端子箱を、上方の位置と側方の一方位置と側方の一方位置から上方の位置を介して反対側となる側方の他方位置との周方向の三位置へ変更可能にしたことを特徴とする請求項１に記載の電動機直結形液圧ポンプ装置。
【発明の詳細な説明】
【技術分野】
【０００１】
本発明は、液圧ポンプと電動機とを直結した電動機直結形液圧ポンプ装置に関する。
【背景技術】
【０００２】
この種の電動機直結形液圧ポンプ装置は、電動機のフランジ部材には一端面に凹部を形成し、液圧ポンプのケーシングには一端面に凸部を形成し、電動機のフランジ部材の凹部に液圧ポンプのケーシングの凸部をいんろう嵌合し、電動機と液圧ポンプとを複数のボルト部材で締結して直結している。電動機のケ−シングには外部電源からの動力線を電気接続する端子箱を水平方向の一方側へ突出して取り付けている。電動機の出力軸には、軸端より窪ませて挿入穴とキー溝を形成し、液圧ポンプの入力軸とキーとを電動機軸の挿入穴とキー溝に挿入し、電動機の回転駆動力を液圧ポンプに伝達している。そして、電動機のフランジ部材には凹部の下方に外部へ連通するドレン通路を形成し、液圧ポンプの内部より漏出したドレンをドレン通路より外部へ排出している。
【先行技術文献】
【特許文献】
【０００３】
【特許文献１】実用新案登録第２５５９２２６号公報
【発明の概要】
【発明が解決しようとする課題】
【０００４】
ところが、かかる従来の電動機直結形液圧ポンプ装置では、端子箱を電動機のケーシングに水平方向の一方側へ突出して固設しているため、端子箱の位置を変更することができず、外部電源からの動力線を電気接続するのに、装置の設置場所に制約を受ける問題点があった。
【０００５】
本発明の課題は、電動機の端子箱の位置を異なる方向に変更可能とし、装置の設置場所に制約を受け難くした電動機直結形液圧ポンプ装置を提供するものである。
【課題を解決するための手段】
【０００６】
かかる課題を達成すべく、本発明は次の手段をとった。即ち、
電動機と液圧ポンプとを一体的に結合し、電動機の出力軸と液圧ポンプの入力軸とを駆動連結し、出力軸で入力軸を回転駆動して液体を吸入吐出する電動機直結形液圧ポンプ装置において、電動機は電動機ケーシングと電動機ケーシングの軸方向端部に設けて液圧ポンプを結合するフランジ部材とを備え、電動機ケーシングには外部電源からの動力線を電気接続する端子箱を外部に固定して取り付け、フランジ部材には液圧ポンプの内部より漏出したドレンを外部へ排出するドレン通路を下方に設け、電動機ケーシングとフランジ部材とは、ドレン通路を下方にしたフランジ部材に対して電動機ケーシングを回動して端子箱を周方向の複数の異なる位置へ変更可能にして結合したことを特徴とする電動機直結形液圧ポンプ装置がそれである。
【０００７】
この場合、前記電動機ケーシングには被取付部材に固定する取付脚を周方向の複数の異なる位置へ変更可能に着脱自在に取り付けても良い。また、前記電動機ケーシングの外部に固定して取り付けた端子箱を、上方の位置と側方の一方位置と側方の一方位置から上方の位置を介して反対側となる側方の他方位置との周方向の三位置へ変更可能にしても良い。
【発明の効果】
【０００８】
以上詳述したように、請求項１に記載の発明は、電動機ケーシングには外部電源からの動力線を電気接続する端子箱を外部に固定して取り付け、フランジ部材には液圧ポンプの内部より漏出したドレンを外部へ排出するドレン通路を下方に設け、電動機ケーシングとフランジ部材とは、ドレン通路を下方にしたフランジ部材に対して電動機ケーシングを回動して端子箱を周方向の複数の異なる位置へ変更可能にして結合した。このため、フランジ部材に対して電動機ケーシングを回動して電動機ケーシングとフランジ部材とを結合することで、端子箱の位置を異なる方向に変更でき、装置の設置場所に制約を受け難くできて広範囲の用途に適用することができる。また、電動機ケーシングを回動して端子箱を周方向の複数の異なる位置へ変更可能にしているため、端子箱の取り付け位置が異なる複数の電動機ケーシングを用意し、必要に応じて複数の電動機ケーシングを適宜取り替えても課題達成を図れるが、このものに比し、端子箱を取り付けた電動機ケーシングは一つでよく、端子箱を取り付けた電動機ケーシングの種類を低減して管理の簡素化を図ることができる。さらにまた、端子箱を電動機ケーシングに固定して取り付けているため、端子箱を電動機ケーシングに移動自在に取り付けても課題達成を図れるが、このものに比し、端子箱を移動するための構成を不要にでき、構成の簡素化を図ることができる。
【０００９】
また、請求項２に記載の発明は、請求項１に記載の発明の効果に加え、前記電動機ケーシングには被取付部材に固定する取付脚を周方向の複数の異なる位置へ変更可能に着脱自在に取り付けている。このため、電動機ケーシングを回動して端子箱を周方向の異なる位置へ変更した際に、この端子箱の変更位置に応じた最適位置へ取付脚を変更することができる。
【００１０】
また、請求項３に記載の発明は、請求項１に記載の発明の効果に加え、前記端子箱を、上方の位置と側方の一方位置と側方の一方位置から上方の位置を介して反対側となる側方の他方位置との周方向の三位置へ変更可能にした。このため、上方の位置と側方の一方位置と側方の他方位置との三位置のなかで、制約のないいずれかの位置に端子箱を変更することで、外部電源からの動力線を端子箱に電気接続できるから、一層広範囲の設置場所に装置を設置することができる。
【図面の簡単な説明】
【００１１】
【図１】本発明の一実施形態を示し、電動機直結形液圧ポンプ装置の一部を断面で示した正面図である。
【図２】図１の矢視Ａから見た左側面図である。
【図３】図１の線Ｂ−Ｂに沿った断面図である。
【図４】図３とは端子箱を周方向の異なる位置にした断面図である。
【図５】図４とは端子箱を周方向の異なる位置にした断面図である。
【発明を実施するための形態】
【００１２】
以下、本発明の一実施形態を図面に基づき説明する。
図１ないし図３において、１は電動機で、円筒状の電動機ケーシング２の軸方向一端側にフランジ部材３を設けると共に、電動機ケーシング２の軸方向他端側にカバー４を設けている。５は電動機ケーシング２の内部に回転自在に設けた出力軸で、フランジ部材３に配置した軸受け６で軸支し、軸端を外方に露呈している。出力軸５は軸端より窪ませて挿入穴７とキー溝８を形成している。９は図示しない外部電源からの動力線を電動機１に電気接続する端子箱で、電動機ケーシング２の外周面に固定して取り付けている。１０は電動機直結形液圧ポンプ装置を図示しない被取付部材に固定する取付脚で、電動機ケーシング２の外周面の下方に着脱自在に取り付けている。電動機ケーシング２の外周面には、取付脚１０を着脱自在に取付ける取付部を、下方に位置する下方取付部１１Ａと下方取付部１１Ａから図３の右方向に略９０°位相した右側方取付部１１Ｂと下方取付部１１Ａから図３の左方向に略９０°位相した左側方取付部１１Ｃとの３個所に形成している。取付脚１０は電動機ケーシング２の下方取付部１１Ａと右側方取付部１１Ｂと左側方取付部１１Ｃとの周方向の三位置へ変更可能に着脱自在に取り付け、図示状態は下方取付部１１Ａに取り付けている。
【００１３】
電動機ケーシング２の軸方向一端側には、周方向へ等間隔に第１ねじ穴１２Ａと第２ねじ穴１２Ｂと第３ねじ穴１２Ｃとの３個をフランジ部材３に向けて開口形成している。第１ねじ穴１２Ａは電動機ケーシング２の真上に位置している。第２ねじ穴１２Ｂは第１ねじ穴１２Ａから図３の右方向に略１２０°位相した個所に位置している。第３ねじ穴１２Ｃは第１ねじ穴１２Ａから図３の左方向に略１２０°位相した個所に位置している。フランジ部材３には、電動機ケーシング２の第１ねじ穴１２Ａ、第２ねじ穴１２Ｂ、第３ねじ穴１２Ｃと対向して第１取付部１３Ａ、第２取付部１３Ｂ、第３取付部１３Ｃを周方向へ等間隔で径方向に突出して形成している。フランジ部材３の第１取付部１３Ａ、第２取付部１３Ｂ、第３取付部１３Ｃには、電動機ケーシング２の第１ねじ穴１２Ａ、第２ねじ穴１２Ｂ、第３ねじ穴１２Ｃと同心に第１貫通穴１４Ａ、第２貫通穴１４Ｂ、第３貫通穴１４Ｃを貫通形成している。
【００１４】
１５Ａ、１５Ｂ、１５Ｃは３個のボルト部材で、それぞれ第１貫通穴１４Ａ〜第３貫通穴１４Ｃを挿通して第１ねじ穴１２Ａ〜第３ねじ穴１２Ｃに螺合し、電動機ケーシング２とフランジ部材３とを結合する。この状態で、端子箱９は真上に位置している。フランジ部材３には、第１取付部１３Ａの周方向両側にそれぞれ略３０度の間隙を有した位置に第４取付部１３Ｄと第５取付部１３Ｅとを径方向に突出して形成している。また、第２取付部１３Ｂの周方向両側にそれぞれ略３０度の間隙を有した位置に第６取付部１３Ｆと第７取付部１３Ｇとを径方向に突出して形成している。また、第３取付部１３Ｃの周方向両側にそれぞれ略３０度の間隙を有した位置に第８取付部１３Ｈと第９取付部１３Ｉとを径方向に突出して形成している。１６は液圧ポンプで、内部に回転自在に軸支した入力軸１７をケーシング１８の軸方向一端側に突出し、入力軸１７の回転駆動で液体を吸入吐出する。液圧ポンプ１６は入力軸１７が突出するケーシング１８の一端面に凸部１９を形成している。２０はフランジ部材３に設けた凹部で、液圧ポンプ１６と対向する一端面に窪み形成し、液圧ポンプ１６のケーシング１８の凸部１９をいんろう嵌合する。このいんろう嵌合で液圧ポンプ１６の入力軸１７を電動機１の出力軸５の挿入穴７に挿入し、入力軸１７に有するキー１７Ａをキー溝８に嵌合し、出力軸８より入力軸１７に回転駆動力を伝達する。２１はフランジ部材３に設けたドレン通路で、凹部２０の下方で一端面に窪み形成して凹部２０と外部とを連通し、液圧ポンプ１６の内部より凹部２０へ漏出したドレンを外部へ排出している。２２Ａ、２２Ｂ、２２Ｃ、２２Ｄは電動機３と液圧ポンプ１６とを結合する４個のボルト部材で、液圧ポンプ１６の凸部１９を電動機１のフランジ部材３の凹部２０にいんろう嵌合した状態で、液圧ポンプ１６側からフランジ部材３に周方向へ等間隔に螺合している。
【００１５】
図４は、電動機ケーシング２を図３の左方向へ略９０°位相し、図３で真上に位置する端子箱９を左方向へ略９０°位相した位置に変更したものである。
フランジ部材３には、第８取付部１３Ｈ、第６取付部１３Ｆ、第４取付部１３Ｄにそれぞれ図３の第１貫通穴１４Ａ、第２貫通穴１４Ｂ、第３貫通穴１４Ｃに相当する第４貫通穴１４Ｄ、第５貫通穴１４Ｅ、第６貫通穴１４Ｆを貫通形成している。なお、図３の第１貫通穴１４Ａ、第２貫通穴１４Ｂ、第３貫通穴１４Ｃは形成していない。取付脚１０は図３より左方向へ略９０°位相して下方に位置する左側方取付部１１Ｃに取付ける。電動機ケーシング２を図３の左方向へ略９０°位相することで、第４貫通穴１４Ｄには第１ねじ穴１２Ａが、第５貫通穴１４Ｅには第３ねじ穴１２Ｃが、第６貫通穴１４Ｆには第２ねじ穴１２Ｂがそれぞれ同心に位置する。ボルト部材１５Ａは第４貫通穴１４Ｄを挿通して第１ねじ穴１２Ａに螺合し、ボルト部材１５Ｂは第５貫通穴１４Ｅを挿通して第３ねじ穴１２Ｃに螺合し、ボルト部材１５Ｃは第６貫通穴１４Ｆを挿通して第２ねじ穴１２Ｂに螺合し、電動機ケーシング２とフランジ部材３とを結合する。ドレン流路２１はフランジ部材３が周方向へ位相しないから、図３と同一位置にある。
【００１６】
図５は、電動機ケーシング２を図３の右方向へ略９０°位相し、図３で真上に位置する端子箱９を右方向へ略９０°位相した位置に変更したものである。
フランジ部材３には、第７取付部１３Ｇ、第９取付部１３Ｉ、第５取付部１３Ｅにそれぞれ図３の第１貫通穴１４Ａ、第２貫通穴１４Ｂ、第３貫通穴１４Ｃに相当する第７貫通穴１４Ｇ、第８貫通穴１４Ｈ、第９貫通穴１４Ｉを貫通形成している。なお、図３の第１貫通穴１４Ａ、第２貫通穴１４Ｂ、第３貫通穴１４Ｃは形成していない。取付脚１０は図３より右方向へ略９０°位相して下方に位置する右側方取付部１１Ｂに取付ける。電動機ケーシング２を図３の右方向へ略９０°位相することで、第７貫通穴１４Ｇには第１ねじ穴１２Ａが、第８貫通穴１４Ｈには第２ねじ穴１２Ｂが、第９貫通穴１４Ｉには第３ねじ穴１２Ｃがそれぞれ同心に位置する。ボルト部材１５Ａは第７貫通穴１４Ｇを挿通して第１ねじ穴１２Ａに螺合し、ボルト部材１５Ｂは第８貫通穴１４Ｈを挿通して第２ねじ穴１２Ｂに螺合し、ボルト部材１５Ｃは第９貫通穴１４Ｉを挿通して第３ねじ穴１２Ｃに螺合し、電動機ケーシング２とフランジ部材３とを結合する。ドレン流路２１はフランジ部材３が周方向へ位相しないから、図３と同一位置にある。
【００１７】
次に、かかる構成の作動を説明する。
図１に示す状態で、電動機１を通電すると、出力軸５が回転して入力軸１７を回転駆動し、ポンプ１６はポンプ作動して液体を吸入吐出する。そして、電動機１を非通電にすると、出力軸５の回転が止まり、ポンプ１６はポンプ作動を停止する。
【００１８】
かかる作動において、電動機ケーシング２には外部電源からの動力線を電気接続する端子箱９を外部に固定して取り付け、フランジ部材３には液圧ポンプ１６の内部より漏出したドレンを外部へ排出するドレン通路２１を下方に設け、電動機ケーシング２とフランジ部材３とは、ドレン通路２１を下方にしたフランジ部材３に対して電動機ケーシング２を回動して端子箱９を周方向の複数の異なる位置へ変更可能にして結合した。このため、フランジ部材３に対して電動機ケーシング２を回動して電動機ケーシング２とフランジ部材３とを結合することで、端子箱９の位置を異なる方向に変更でき、装置の設置場所に制約を受け難くできて広範囲の用途に適用することができる。また、電動機ケーシング２を回動して端子箱９を周方向の複数の異なる位置へ変更可能にしているため、端子箱９の取り付け位置が異なる複数の電動機ケーシングを用意し、必要に応じて複数の電動機ケーシングを適宜取り替えても課題達成を図れるが、このものに比し、端子箱９を取り付けた電動機ケーシング２は一つでよく、端子箱９を取り付けた電動機ケーシング２の種類を低減して管理の簡素化を図ることができる。さらにまた、端子箱９を電動機ケーシング２に固定して取り付けているため、端子箱を電動機ケーシングに移動自在に取り付けても課題達成を図れるが、このものに比し、端子箱を移動するための構成を不要にでき、構成の簡素化を図ることができる。
【００１９】
また、電動機ケーシング２には被取付部材に固定する取付脚１０を周方向の複数の異なる位置へ変更可能に着脱自在に取り付けているため、電動機ケーシング２を回動して端子箱９を周方向の異なる位置へ変更した際に、この端子箱９の変更位置に応じた最適位置へ取付脚１０を変更することができる。
【００２０】
また、端子箱９を、図３に示す上方の位置と、一方位置としての図４に示す左側方位置と、他方位置としての図５に示す右側方位置との周方向の三位置へ変更可能にした。このため、上方の位置と側方の一方位置と側方の他方位置との三位置のなかで、制約のないいずれかの位置に端子箱９を変更することで、外部電源からの動力線を端子箱９に電気接続できるから、一層広範囲の設置場所に装置を設置することができる。
【００２１】
なお、一実施形態では、端子箱９を真上に位置するものでは、フランジ部材３の第１取付部１３Ａ、第２取付部１３Ｂ、第３取付部１３Ｃに第１貫通穴１４Ａ、第２貫通穴１４Ｂ、第３貫通穴１４Ｃを貫通形成し、端子箱９を左側方に位置するものでは、フランジ部材３の第８取付部１３Ｈ、第６取付部１３Ｆ、第４取付部１３Ｄに第４貫通穴１４Ｄ、第５貫通穴１４Ｅ、第６貫通穴１４Ｆを貫通形成し、端子箱９を右側方に位置するものでは、フランジ部材３の第７取付部１３Ｇ、第９取付部１３Ｉ、第５取付部１３Ｅに第７貫通穴１４Ｇ、第８貫通穴１４Ｈ、第９貫通穴１４Ｉを貫通形成し、端子箱９の位置に応じて必要な３個の貫通穴を貫通形成したが、最初に、フランジ部材３の第１取付部１３Ａ〜第９取付部１３Ｉに第１貫通穴１４Ａ〜第９貫通穴１４Ｉを貫通形成しておいても良い。また、電動機ケーシング２に３個の第１ねじ穴１２Ａ〜第３ねじ穴１２Ｃを形成し、フランジ部材３に９個の第１貫通穴１４Ａ〜第９貫通穴１４Ｉを形成したが、電動機ケーシング２に９個のねじ穴を形成し、フランジ部材３に３個の貫通穴を形成しても良いことは勿論である。
【符号の説明】
【００２２】
１：電動機
２：電動機ケーシング
３：フランジ部材
５：出力軸
９：端子箱
１０：取付脚
１６：液圧ポンプ
２１：ドレン通路
【図１】
0006007948.tif 000002
【図２】
0006007948.tif 000003
【図３】
0006007948.tif 000004
【図４】
0006007948.tif 000005
【図５】
0006007948.tif 000006